(57)【要約】【課題】撮像装置のシャッタ秒時を制限することなく、フリッカ現象に起因して撮影画像に発生する帯状の縞の影響を除去する。【解決手段】ＬＥＤ発光制御ブロック１５０は、測色センサ１６０の出力からフリッカの影響を演算し、フリッカの影響を打ち消すように、ここでは被写体像の撮像に際して、被写体像の光源におけるＲ，Ｇ，Ｂの各光量が常に一定値となるように、ＬＥＤ−Ｒ１５１、ＬＥＤ−Ｇ１５２、ＬＥＤ−Ｂ１５３の各発光量を決定する。【選択図】図１
2006217417.tif 000002
【特許請求の範囲】
【請求項１】
被写体像を撮像する撮像手段と、
Ｒ，Ｇ，Ｂについて各々独立に前記被写体像の光源の色を測定する測色センサと、
Ｒ，Ｇ，Ｂについて各々独立に発光自在とされた発光ダイオードと、
前記測色センサによる測色結果に対応して、リアルタイムで前記発光ダイオードのＲ，Ｇ，Ｂの各発光量を決定し、当該各発光量で前記発光ダイオードを発光させる発光制御手段と
を含むことを特徴とする撮像装置。
【請求項２】
前記発光量決定手段は、前記測色センサの出力からフリッカの影響を演算し、前記フリッカの影響を打ち消すように前記発光ダイオードの前記各発光量を決定することを特徴とする請求項１に記載の撮像装置。
【請求項３】
前記発光制御手段は、前記被写体像の撮像に際して、前記被写体像の前記光源におけるＲ，Ｇ，Ｂの各光量が常に一定値となるように前記発光ダイオードの前記各発光量を決定することを特徴とする請求項２に記載の撮像装置。
【請求項４】
前記発光制御手段は、前記撮像手段による前記被写体像の露光期間に対応して、当該露光期間のみ前記各発光量を決定することを特徴とする請求項１〜３のいずれか１項に記載の撮像装置。
【請求項５】
被写体像を撮像するものであり、Ｒ，Ｇ，Ｂについて各々独立に前記被写体像の光源の色を測定する機能を有する撮像手段と、
Ｒ，Ｇ，Ｂについて各々独立に発光自在とされた発光ダイオードと、
前記撮像手段による測色結果に対応して、リアルタイムで前記発光ダイオードのＲ，Ｇ，Ｂの各発光量を決定し、当該各発光量で前記発光ダイオードを発光させる発光制御手段と
を含むことを特徴とする撮像装置。
【請求項６】
前記発光制御手段は、前記測色センサの出力からフリッカの影響を演算し、前記フリッカの影響を打ち消すように前記発光ダイオードの前記各発光量を決定することを特徴とする請求項５に記載の撮像装置。
【請求項７】
前記発光制御手段は、前記被写体像の撮像に際して、前記被写体像の光源におけるＲ，Ｇ，Ｂの各光量が常に一定値となるように前記発光ダイオードの前記各発光量を決定することを特徴とする請求項６に記載の撮像装置。
【請求項８】
前記発光制御手段は、前記撮像手段による前記被写体像の露光期間に対応して、当該露光期間のみ前記各発光量を決定することを特徴とする請求項５〜７のいずれか１項に記載の撮像装置。
【請求項９】
被写体像を撮像する撮像手段と、
Ｒ，Ｇ，Ｂについて各々独立に発光自在とされた発光ダイオードと
を含む撮像装置の制御方法であって、
Ｒ，Ｇ，Ｂについて各々独立に前記被写体像の光源の色を測定し、測色結果に対応してリアルタイムで前記発光ダイオードのＲ，Ｇ，Ｂの各発光量を決定し、決定された前記発光量で前記発光ダイオードを発光させることを特徴とする撮像装置の制御方法。
【請求項１０】
前記撮像手段により、Ｒ，Ｇ，Ｂについて各々独立に光源の色を測定することを特徴とする請求項９に記載の撮像装置の制御方法。
【請求項１１】
前記測色結果からフリッカの影響を演算し、前記フリッカの影響を打ち消すように前記発光ダイオードの前記各発光量を決定することを特徴とする請求項９又は１０に記載の撮像装置の制御方法。
【請求項１２】
前記被写体像の撮像に際して、前記被写体像の前記光源におけるＲ，Ｇ，Ｂの各光量が常に一定値となるように前記発光ダイオードの前記各発光量を決定することを特徴とする請求項１１に記載の撮像装置の制御方法。
【請求項１３】
前記撮像手段による前記被写体像の露光期間に対応して、当該露光期間のみ前記各発光量を決定することを特徴とする請求項９〜１２のいずれか１項に記載の撮像装置の制御方法。
【発明の詳細な説明】
【技術分野】
【０００１】
本発明は、発光ダイオード（ＬＥＤ）を備えた撮像装置及びその制御方法に関する。
【背景技術】
【０００２】
商用交流電源で点滅する一般的な蛍光灯では、電源の周波数が５０Ｈｚの場合で１／１００秒、６０Ｈｚの場合で１／１２０秒の各周期で明滅を繰り返す。このような入射光を撮像素子で読み出す場合、読み出す画素の位置により露光開始時刻及び終了時刻が異なるため、フィールド内においても、露光時間内に入射する光量が異なることになり、輝度成分のいわゆるフリッカ現象が発生する。
【０００３】
また、蛍光灯に使用されている蛍光体には、Ｒ（赤色），Ｇ（緑色），Ｂ（青色）の３色があり、各色の発色し始めるタイミングは同一であるが、光量が減少し、最後に消えるまでの時間には差がある。上記の３色のうち、緑色の明滅周期が最も長く、次いで赤色、最も短いものが青色である。このような入射光を撮像素子で読み出す場合、読み出す画素の位置により露光開始時刻と終了時刻が異なるため、１フィールドごとに蛍光灯の発光色が異なることになり、色成分のフリッカ現象が発生する。
【０００４】
この問題を解決するための技術として、露光時間を自動的にフリッカの発生しない露光時間に設定すれば、同一フレーム内において発生するフリッカの影響のない良好な画像が得られる。
また、特許文献１の技術では、１フレームをフリッカ成分がほぼ同一とみなせる領域、例えば1ライン毎に分割し、各領域毎にフリッカ補正ゲインを求めるフリッカ補正装置が提案されている。
【０００５】
【特許文献１】特開２００２−１５２６０４号公報
【発明の開示】
【発明が解決しようとする課題】
【０００６】
しかしながら、上記した従来技術では、以下に示すような問題が生じる。
露光時間を自動的にフリッカの発生しない露光時間に設定する方法では、撮像装置のシャッタ秒時が蛍光灯の明滅周期の影響を受け、シャッタ秒時が制限されることになる。
また、特許文献１の方法では、フリッカ成分が同一と見られる領域は小さく、領域の数が多くなるため、領域毎にフリッカ補正ゲインを求めると、回路規模が大きくなるとともに演算時間も増大する。また、各領域毎にフリッカ補正ゲインが異なるため、各所でフリッカ補正にばらつきが発生する可能性が高くなる。
【０００７】
フリッカの影響を消すためには、ストロボ発光を行い蛍光灯光源の影響を少なくする方法もあるが、この場合蛍光灯光源下で撮影した雰囲気は失われてしまい、撮影者の意図した撮影でなくなる可能性がある。
【０００８】
本発明は、上記の課題に鑑みてなされたものであり、撮像装置のシャッタ秒時を制限することなく、フリッカ現象に起因して撮影画像に発生する帯状の縞の影響を除去することのできる撮像装置及びその制御方法を提供することを目的とする。
【課題を解決するための手段】
【０００９】
本発明の撮像装置は、被写体像を撮像する撮像手段と、Ｒ，Ｇ，Ｂについて各々独立に前記被写体像の光源の色を測定する測色センサと、Ｒ，Ｇ，Ｂについて各々独立に発光自在とされた発光ダイオードと、前記測色センサによる測色結果に対応して、リアルタイムで前記発光ダイオードのＲ，Ｇ，Ｂの各発光量を決定し、当該各発光量で前記発光ダイオードを発光させる発光制御手段とを含む。
【００１０】
本発明の撮像装置の別態様は、被写体像を撮像するものであり、Ｒ，Ｇ，Ｂについて各々独立に前記被写体像の光源の色を測定する機能を有する撮像手段と、Ｒ，Ｇ，Ｂについて各々独立に発光自在とされた発光ダイオードと、前記撮像手段による測色結果に対応して、リアルタイムで前記発光ダイオードのＲ，Ｇ，Ｂの各発光量を決定し、当該各発光量で前記発光ダイオードを発光させる発光制御手段とを含む。
【００１１】
本発明の撮像装置の制御方法は、被写体像を撮像する撮像手段と、Ｒ，Ｇ，Ｂについて各々独立に発光自在とされた発光ダイオードとを含む撮像装置の制御方法であって、Ｒ，Ｇ，Ｂについて各々独立に前記被写体像の光源の色を測定し、測色結果に対応してリアルタイムで前記発光ダイオードのＲ，Ｇ，Ｂの各発光量を決定し、決定された前記発光量で前記発光ダイオードを発光させる。
【発明の効果】
【００１２】
本発明によれば、撮像装置のシャッタ秒時を制限することなく、フリッカ現象に起因して撮影画像に発生する帯状の縞の影響を除去することが可能となる。
更にこの場合、露光期間のみＲ，Ｇ，Ｂの各発光量を決定することにより、電力消費を最小限に抑えつつ、フリッカ現象の影響を除去することが可能となる。
【発明を実施するための最良の形態】
【００１３】
以下、本発明を適用した具体的な諸実施形態について、図面を参照しながら詳細に説明する。
【００１４】
（第１の実施形態）
図１は、第１の実施形態における撮像装置の要部構成を示すブロック図である。
この撮像装置において、１１０は、不図示の撮影レンズ及びＣＣＤ等の撮像素子を備えてなる撮像部であり、撮影レンズにより結像する被写体の光学像を撮像素子により電気信号に変換する。
【００１５】
１１１は、撮像部１１０から出力されるアナログ信号をデジタル信号に変換するＡ／Ｄ変換器である。１１２は、Ａ／Ｄ変換器１１１、タイミング発生回路１１３、バッファメモリ１１４、ＪＰＥＧ符号化回路１１５、Ｄ／Ａ変換器１１８、画像処理回路１２０を制御するメモリコントローラである。１１３は、撮像部１１０、Ａ／Ｄ変換器１１１、Ｄ／Ａ変換器１１８にクロック制御信号等の制御信号を供給するタイミング発生回路であり、メモリコントローラ１１２及びシステム制御回路１３０により制御される。
【００１６】
１１４は、Ａ／Ｄ変換器１１１でデジタル信号に変換されたデータがメモリコントローラ１１２を介して書き込まれるものであり、撮像部１１０の撮像素子からメモリコントローラ１１２を介して読み出された１画面分の撮像データを１つの単位として、これを複数分、記憶できる容量を備えている。
【００１７】
１１５は、ベースラインＪＰＥＧ方式により画像データを圧縮、伸長するためのＪＰＥＧ符号化回路であり、不図示の公知のＤＣＴ量子化回路、ハフマン符号・複合回路等で構成されている。
１１６はインターフェースである。１１７は、半導体メモリのカードなどであり、主にリムーバルな媒体が好んで使用される外部記憶媒体である。バッファメモリ１１４に蓄えられたデータは、メモリコントローラ１１２、インターフェース１１６を介して、外部記憶媒体１１７に書き込まれる。
【００１８】
１１８は、タイミング発生回路からの制御信号に基づいてメモリコントローラ１１２を介してバッファメモリ１１４に書き込まれたデジタル信号を読み出し、これをアナログ信号に変換するＤ／Ａ変換器である。
１１９は、Ｄ／Ａ変換器１１８を介して撮影画像の画像表示を行う画像表示部である。
１２０は、Ａ／Ｄ変換器１１１からのデジタル信号或いはメモリコントローラ１１２からのデータに対して、公知のホワイトバランス調整、画素補間処理、階調処理、色変換処理などを施すための画像処理回路である。
【００１９】
１３０は、撮像装置全体を制御するシステム制御回路であり、不図示のＡＥ、ＡＦ等のカメラ制御も行う。
１６０は、撮像装置周辺の光源（外光）の色温度を測色する測色センサである。この測色センサ１６０は、外光が入射される拡散版１６１と、拡散版１６１を介した光を受光するＲ受光素子１６２、Ｇ受光素子１６３及びＢ受光素子１６４と、Ｒ受光素子１６２、Ｇ受光素子１６３及びＢ受光素子１６４の各出力を電気信号に変換する外部センサ制御ブロック１６５を備えて構成される。
【００２０】
１５０は、Ｒ，Ｇ，Ｂ３色のＬＥＤであるＬＥＤ−Ｒ１５１、ＬＥＤ−Ｇ１５２、ＬＥＤ−Ｂ１５３の各発光量を各々独立に発光制御するためのＬＥＤ発光制御ブロックであり、測色センサ１６０による測色結果に対応して、リアルタイムでＬＥＤ−Ｒ１５１、ＬＥＤ−Ｇ１５２、ＬＥＤ−Ｂ１５３の各発光量を決定する。具体的には、ＬＥＤ発光制御ブロック１５０は、測色センサ１６０の出力からフリッカの影響を演算し、フリッカの影響を打ち消すように、ここでは被写体像の撮像に際して、被写体像の光源におけるＲ，Ｇ，Ｂの各光量が常に一定値となるように、ＬＥＤ−Ｒ１５１、ＬＥＤ−Ｇ１５２、ＬＥＤ−Ｂ１５３の各発光量を決定する。ＬＥＤ発光制御ブロック１５０は、システム制御回路１３０に接続されており、システム制御回路１３０を介して測色センサ１６０による検出結果に基づいて決定した各発光量でＬＥＤ−Ｒ１５１、ＬＥＤ−Ｇ１５２、ＬＥＤ−Ｂ１５３をそれぞれ発光させる。
【００２１】
ここで、本実施形態の撮像装置を用いて、蛍光灯下等における撮影においてフリッカ現象を抑止するための制御方法について説明する。
図２は、蛍光灯下における測色センサの出力、各ＬＥＤの出力及び露光のタイミングチャートであり、（Ａ）が測色センサ１６０の出力結果の一例を、（Ｂ）が各ＬＥＤ１５１〜１５３の出力結果の一例を、（Ｃ）が露光のタイミングをそれぞれ示す。ここで、横軸は時間軸であり、測色センサ１６０の出力結果では、例えば電源の周波数が５０Ｈｚの場合、１／１００秒周期で出力される。
【００２２】
なお、測色センサ１６０の出力及び各ＬＥＤ１５１〜１５３におけるＲ，Ｇ，Ｂ比及び発光量の演算は、リアルタイムで行う必要があるため、蛍光灯の明滅周期よりも充分に速い速度で検出を行う。このとき、演算処理を短縮するために、公知の間引き処理等を行っても良い。Ｒ受光素子１６２、Ｇ受光素子１６３、Ｂ受光素子１６４により受光した光は、制御ブロック１６５を介して、電気信号に変換され、それぞれＲ（赤色），Ｇ（緑色），Ｂ（青色）独立に信号を出力する。図２（Ａ）に示すように、Ｇの明滅周期が最も長く、次いでＲ、最も短いものがＢである。
【００２３】
測色センサ１６０のＲ，Ｇ，Ｂ出力をそれぞれRs，Gs，Bsとし、Ｒ−ＬＥＤ１５１の出力をRL、Ｇ−ＬＥＤ１５２の出力をGL、Ｂ−ＬＥＤ１５３の出力をBLとする。ただし、ここで述べるRs，Gs，BsとRL，GL，BLは、被写体にあたる光量に換算したものである。従って、被写体の光量はRs，Gs，BsとRL，GL，BLとの出力和で表すことができる。被写体の光量をＲ，Ｇ，ＢでそれぞれRsum，Gsum，Bsumとする。
【００２４】
図２の（１）のタイミングにおいては、蛍光灯光源の出力がＲ，Ｇ，Ｂで全て最大、即ち測色センサ１６０のＲ，Ｇ，Ｂ出力であるRs1，Gs1，Bs1の全ての出力が最大値となる。このとき、図２（Ｂ）に示すように、Rsum，Gsum，Bsumがそれぞれ同じ光量となるように、Ｒ−ＬＥＤ１５１の出力RL1、Ｂ−ＬＥＤ１５３の出力BL1、Ｇ−ＬＥＤ１５２の出力GL1をそれぞれ決定する。
【００２５】
Rsum＝Rs1＋RL1
Bsum＝Bs1＋BL1
Gsum＝Gs1＋GL1
Rsum＝Bsum＝Gsum
このとき、Gs1の出力は周期内で最大値となるため、例えばGL1を０と設定すれば良い。
【００２６】
続いて、図２の（２）のタイミングにおいては、測色センサ１６０のＲ，Ｇ，Ｂ出力をRs2，Gs2，Bs2とすると、Bs2が０となる。このとき、図２（Ｂ）に示すように、（１）のタイミングに対して、被写体の光量及び光量比（色比）が同じとなるように、Ｒ−ＬＥＤ１５１の出力RL2、Ｂ−ＬＥＤ１５３の出力BL2、Ｇ−ＬＥＤ１５２の出力GL2をそれぞれ決定する。
【００２７】
Rsum＝Rs2＋RL2
Bsum＝BL2
Gsum＝Gs2＋GL2
Rsum＝Bsum＝Gsum
【００２８】
続いて、図２の（３）のタイミングにおいては、測色センサのＲ，Ｇ，Ｂ出力をRs3，Gs3，Bs3とすると、Bs3及びRs3が０となる。このとき、図２（Ｂ）に示すように、（１）及び（２）のタイミングに対して、被写体の光量及び色比が同じとなるように、Ｒ−ＬＥＤ１５１の出力RL3、Ｂ−ＬＥＤ１５３の出力BL3、Ｇ−ＬＥＤ１５２の出力GL3をそれぞれ決定する。
【００２９】
Rsum＝RL3
Bsum＝BL3
Gsum＝Gs3＋GL3
Rsum＝Bsum＝Gsum
【００３０】
このように、本実施形態の撮像装置では、測色センサ１６０によりリアルタイムで測色センサ１６０のＲ，Ｇ，Ｂ出力を検出し、ＬＥＤ発光制御ブロック１５０により、如何なるタイミングにおいても被写体にあたる光源のＲ，Ｇ，Ｂ比及び光量が常に一定の値に保たれるように制御して、各ＬＥＤ１５１〜１５３を発光させる。このようにすることにより、蛍光灯のように周期内でＲ，Ｇ，Ｂの光量比及び光量にムラのある光源下において、如何なるタイミングで撮影しても、被写体にあたる光源の光量及び色比が常に一定値に保たれる。従って、どのようなシャッタ秒時で露光を行っても、輝度成分及び色成分のフリッカに影響を受けることなく、良好な画像を得ることができる。
【００３１】
−変形例−
ここで、本実施形態の変形例について説明する。本変形例では、撮像装置は第１の実施形態の図１に示す構成と同一である。
ここで、本実施形態の撮像装置を用いて、蛍光灯下等における撮影においてフリッカ現象を抑止するための制御方法について説明する。
図３は、蛍光灯下における測色センサの出力、各ＬＥＤの出力及び露光のタイミングチャートであり、（Ａ）が測色センサ１６０の出力結果の一例を、（Ｂ）が各ＬＥＤ１５１〜１５３の出力結果の一例を、（Ｃ）が露光のタイミングをそれぞれ示す。ここで、横軸は時間軸であり、測色センサ１６０の出力結果では、例えば電源の周波数が５０Ｈｚの場合、１／１００秒周期で出力される。
【００３２】
本変形例では、撮像時における露光期間、例えば図３（Ｃ）の露光期間（ここでは（２）のタイミングから（３）のタイミングまでの期間を露光期間として例示する。）に対応して、当該露光期間のみＬＥＤ発光制御ブロック１５０がリアルタイムでＬＥＤであるＬＥＤ−Ｒ１５１、ＬＥＤ−Ｇ１５２、ＬＥＤ−Ｂ１５３の各発光量を決定する。
図３の（２）のタイミング及び（３）のタイミングについては、第１の実施形態による図２と同様である。
【００３３】
このように、本変形例の撮像装置では、測色センサ１６０によりリアルタイムで測色センサ１６０のＲ，Ｇ，Ｂ出力を検出し、ＬＥＤ発光制御ブロック１５０により、撮像部１１０の露光期間のみにおいて、被写体にあたる光源のＲ，Ｇ，Ｂ比及び光量が常に一定の値に保たれるように制御して、各ＬＥＤ１５１〜１５３を発光させる。このようにすることにより、電力消費を最小限に抑えつつも、蛍光灯のように周期内でＲ，Ｇ，Ｂの光量比及び光量にムラのある光源下において、如何なるタイミングで撮影しても、被写体にあたる光源の光量及び色比が露光期間内で一定値に保たれる。従って、どのようなシャッタ秒時で露光を行っても、輝度成分及び色成分のフリッカに影響を受けることなく、良好な画像を得ることができる。
【００３４】
（第２の実施形態）
図４は、第２の実施形態における撮像装置の要部構成を示すブロック図である。
この撮像装置では、撮像部１１０が測色センサ１６０（の機能）を兼ねており、撮像部１１０の撮像素子の出力に基づき、Ｒ，Ｇ，Ｂについて各々独立に光源の測色を行う。従って、図示の上では図１の測色センサ１６０を削除した構成となるため、撮像装置の構成部材についての詳細な説明は省略する。
【００３５】
ここで、本実施形態の撮像装置を用いて、蛍光灯下等における撮影においてフリッカ現象を抑止するための制御方法について説明する。
図５は、蛍光灯下における測色センサの出力、各ＬＥＤの出力及び露光のタイミングチャートであり、（Ａ）が測色センサ１６０の出力結果の一例を、（Ｂ）が各ＬＥＤ１５１〜１５３の出力結果の一例を、（Ｃ）が露光のタイミングをそれぞれ示す。ここで、横軸は時間軸であり、測色センサ１６０の出力結果では、例えば電源の周波数が５０Ｈｚの場合、１／１００秒周期で出力される。
【００３６】
但し、ここで言う撮像素子の出力とは、撮像部１１０から出力されるアナログ出力信号をＡ／Ｄ変換器１１１によってデジタル信号に変換されたデータに対して、画像処理回路１２０にて公知のホワイトバランス演算回路で、被写体にあたる光源のＲＧＢ比及び光量の演算を行った後のデータを示す。
【００３７】
なお、測色センサ１６０の出力及び各ＬＥＤ１５１〜１５３におけるＲ，Ｇ，Ｂ比及び発光量の演算は、リアルタイムで行う必要があるため、蛍光灯の明滅周期よりも充分に速い速度で検出を行う。このとき、演算処理を短縮するために、公知の間引き処理等を行っても良い。Ｒ受光素子１６２、Ｇ受光素子１６３、Ｂ受光素子１６４により受光した光は、制御ブロック１６５を介して、電気信号に変換され、それぞれＲ（赤色），Ｇ（緑色），Ｂ（青色）独立に信号を出力する。図２（Ａ）に示すように、Ｇの明滅周期が最も長く、次いでＲ、最も短いものがＢである。
【００３８】
撮像素子のＲ，Ｇ，Ｂ出力をそれぞれRs，Gs，Bsとし、Ｒ−ＬＥＤ１５１の出力をRL、Ｇ−ＬＥＤ１５２の出力をGL、Ｂ−ＬＥＤ１５３の出力をBLとする。ただし、ここで述べるRs，Gs，BsとRL，GL，BLは、被写体にあたる光量に換算したものである。従って、被写体の光量はRs，Gs，BsとRL，GL，BLとの出力和で表すことができる。被写体の光量をＲ，Ｇ，ＢでそれぞれRsum，Gsum，Bsumとする。
【００３９】
図４の（１）のタイミングにおいては、蛍光灯光源の出力がＲ，Ｇ，Ｂで全て最大、即ち測色センサ１６０のＲ，Ｇ，Ｂ出力であるRs1，Gs1，Bs1の全ての出力が最大値となる。このとき、図４（Ｂ）に示すように、Rsum，Gsum，Bsumがそれぞれ同じ光量となるように、Ｒ−ＬＥＤ１５１の出力RL1、Ｂ−ＬＥＤ１５３の出力BL1、Ｇ−ＬＥＤ１５２の出力GL1をそれぞれ決定する。
【００４０】
Rsum＝Rs1＋RL1
Bsum＝Bs1＋BL1
Gsum＝Gs1＋GL1
Rsum＝Bsum＝Gsum
このとき、Gs1の出力は周期内で最大値となるため、例えばGL1を０と設定すれば良い。
【００４１】
続いて、図４の（２）のタイミングにおいては、測色センサ１６０のＲ，Ｇ，Ｂ出力をRs2，Gs2，Bs2とすると、Bs2が０となる。このとき、図４（Ｂ）に示すように、（１）のタイミングに対して、被写体の光量及び色比が同じとなるように、Ｒ−ＬＥＤ１５１の出力RL2、Ｂ−ＬＥＤ１５３の出力BL2、Ｇ−ＬＥＤ１５２の出力GL2をそれぞれ決定する。
【００４２】
Rsum＝Rs2＋RL2
Bsum＝BL2
Gsum＝Gs2＋GL2
Rsum＝Bsum＝Gsum
【００４３】
続いて、図４の（３）のタイミングにおいては、測色センサのＲ，Ｇ，Ｂ出力をRs3，Gs3，Bs3とすると、Bs3及びRs3が０となる。このとき、図４（Ｂ）に示すように、（１）及び（２）のタイミングに対して、被写体の光量及び色比が同じとなるように、Ｒ−ＬＥＤ１５１の出力RL3、Ｂ−ＬＥＤ１５３の出力BL3、Ｇ−ＬＥＤ１５２の出力GL3をそれぞれ決定する。
【００４４】
Rsum＝RL3
Bsum＝BL3
Gsum＝Gs3＋GL3
Rsum＝Bsum＝Gsum
【００４５】
このように、本実施形態の撮像装置では、撮像素子によりリアルタイムで測色センサ１６０のＲ，Ｇ，Ｂ出力を検出し、ＬＥＤ発光制御ブロック１５０により、如何なるタイミングにおいても被写体にあたる光源のＲ，Ｇ，Ｂ比及び光量が常に一定の値に保たれるように制御して、各ＬＥＤ１５１〜１５３を発光させる。このようにすることにより、蛍光灯のように周期内でＲ，Ｇ，Ｂの光量比及び光量にムラのある光源下において、如何なるタイミングで撮影しても、被写体にあたる光源の光量及び色比が常に一定値に保たれる。従って、どのようなシャッタ秒時で露光を行っても、輝度成分及び色成分のフリッカに影響を受けることなく、良好な画像を得ることができる。更に本実施形態では、撮像素子が測色センサの機能を兼ねるため、装置構成が簡素化される。
【００４６】
ここで、本実施形態においても、第１の実施形態における変形例と同様に、例えば図３のように撮像時における露光期間に対応して、当該露光期間のみＬＥＤ発光制御ブロック１５０がリアルタイムでＬＥＤであるＬＥＤ−Ｒ１５１、ＬＥＤ−Ｇ１５２、ＬＥＤ−Ｂ１５３の各発光量を決定するようにしても良い。
【００４７】
なお、第１の実施形態の図２を用いた説明、変形例の図３を用いた説明、及び第２の実施形態の図５を用いた説明では、説明の簡略化のために、被写体にあたるＲ，Ｇ，Ｂ光量比を、
Rsum＝Bsum＝Gsum（Rsum：Gsum：Bsum＝１：１：１）
として説明を行ったが、光量比はこれに限るものでなく一定であれば良い。例えば、
Rsum：Gsum：Bsum＝７：１０：５
のようにしても良い。光量比が一定であれば、公知のホワイトバランス処理等により、簡単に色比を例えば１：１：１に制御することが可能である。
【００４８】
また、露光前に予め各ＬＥＤ発光の周期性の演算を行い、事前に一周期分の各ＬＥＤ発光量を記憶しておき、露光中は記憶した各ＬＥＤ発光のデータと露光直前のタイミングとから各ＬＥＤ発光のタイミングを推測して、各ＬＥＤ発光を行うようにしても好適である。
【００４９】
また、第１の実施形態の図２を用いた説明、変形例の図３を用いた説明、及び第２の実施形態の図５を用いた説明における撮像装置の制御方法についてのプログラムコード等は、コンピュータのＲＡＭやＲＯＭなどに記憶されたプログラムが動作することによって実現できる。このプログラム、及び当該プログラムを記録したコンピュータ読み取り可能な記憶媒体は本発明の実施形態に含まれる。
【００５０】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５１】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【００５２】
例えば、図６は、パーソナルユーザ端末装置の内部構成を示す模式図である。この図６において、１２００はコンピュータＰＣである。ＰＣ１２００は、ＣＰＵ１２０１を備え、ＲＯＭ１２０２またはハードディスク（ＨＤ）１２１１に記憶された、あるいはフレキシブルディスクドライブ（ＦＤ）１２１２より供給されるデバイス制御ソフトウェアを実行し、システムバス１２０４に接続される各デバイスを総括的に制御する。
【００５３】
ＰＣ１２００のＣＰＵ１２０１、ＲＯＭ１２０２またはハードディスク（ＨＤ）１２１１に記憶されたプログラムにより、本実施形態における図３のステップＳ１〜Ｓ７及び図８のステップＳ１１〜Ｓ１７等の手順が実現される。
【００５４】
１２０３はＲＡＭであり、ＣＰＵ１２０１の主メモリ、ワークエリア等として機能する。１２０５はキーボードコントローラ（ＫＢＣ）であり、キーボード（ＫＢ）１２０９や不図示のデバイス等からの指示入力を制御する。
【００５５】
１２０６はＣＲＴコントローラ（ＣＲＴＣ）であり、ＣＲＴディスプレイ（ＣＲＴ）１２１０の表示を制御する。１２０７はディスクコントローラ（ＤＫＣ）であり、ブートプログラム（起動プログラム：パソコンのハードやソフトの実行（動作）を開始するプログラム）、複数のアプリケーション、編集ファイル、ユーザファイル及びネットワーク管理プログラム等を記憶するハードディスク（ＨＤ）１２１１や、フレキシブルディスク（ＦＤ）１２１２とのアクセスを制御する。
【００５６】
１２０８はネットワークインタフェースカード（ＮＩＣ）であり、ＬＡＮ１２２０を介して、ネットワークプリンタ、他のネットワーク機器、あるいは他のＰＣと双方向のデータのやり取りを行う。
【図面の簡単な説明】
【００５７】
【図１】第１の実施形態における撮像装置の要部構成を示すブロック図である。
【図２】第１の実施形態において、蛍光灯下における測色センサの出力、各ＬＥＤの出力及び露光のタイミングチャートである。
【図３】第１の実施形態の変形例において、蛍光灯下における測色センサの出力、各ＬＥＤの出力及び露光のタイミングチャートである。
【図４】第２の実施形態において、蛍光灯下における測色センサの出力、各ＬＥＤの出力及び露光のタイミングチャートである。
【図５】第２の実施形態において、蛍光灯下における測色センサの出力、各ＬＥＤの出力及び露光のタイミングチャートである。
【図６】パーソナルユーザ端末装置の内部構成を示す模式図である。
【符号の説明】
【００５８】
１１０  撮像部
１５０  ＬＥＤ発光制御ブロック
１５１  ＬＥＤ−Ｒ
１５２  ＬＥＤ−Ｇ
１５３  ＬＥＤ−Ｂ
１６０  測色センサ
【図１】
2006217417.tif 000003
【図２】
2006217417.tif 000004
【図３】
2006217417.tif 000005
【図４】
2006217417.tif 000006
【図５】
2006217417.tif 000007
【図６】
2006217417.tif 000008